(57)【要約】【課題】非接触ＩＣカードを腕時計に組み込むことにより、腕時計本来の機能の他に、当該非接触ＩＣカードの機能をも享受可能にし、利便性を大いに向上させ得る非接触ＩＣカードを搭載した腕時計を提供することを課題とする。【解決手段】  ケース１内に、時計構成要素と共に非接触ＩＣカードモジュール２０を組み込むことにより、腕時計の機能と共に当該非接触ＩＣカードの機能を享受可能にした腕時計であり、非接触ＩＣカードモジュール２０は、中枠１０の中央部に形成される筒部１１に収装される時計構成要素のムーブメント２の裏面側に、前記裏面との間に間隙を保持して配置される。その間隙保持は、筒部１１の高さがムーブメント２の厚みよりも少し高くなるように設定することにより、あるいは、中枠１０の筒部１１の外側に配設される、筒部１１と同じかそれよりも少し高いスペーサー１２によって達成される。【選択図】図３
2013057643.tif 000002
【特許請求の範囲】
【請求項１】
ケース内に、時計構成要素と共に、非接触ＩＣカードモジュールを組み込むことにより、腕時計の機能と共に当該非接触ＩＣカードの機能を享受可能にした腕時計であり、
前記非接触ＩＣカードモジュールは、中枠の中央部に形成される筒部に収装される前記時計構成要素のムーブメントの裏面側に、前記裏面との間に間隙を保持して配置されることを特徴とする非接触ＩＣカードを搭載した腕時計。
【請求項２】
前記ムーブメントと前記非接触ＩＣカードモジュールとの間の間隙保持は、前記ムーブメント収装用筒部の高さが前記ムーブメントの厚みよりも少し高くなるように設定することによって達成される、請求項１に記載の非接触ＩＣカードを搭載した腕時計。
【請求項３】
前記ムーブメントと前記非接触ＩＣカードモジュールとの間の間隙保持は、前記中枠の前記筒部の外側に配設される、前記筒部と同じかそれよりも少し高いスペーサーによって達成される、請求項１に記載の非接触ＩＣカードを搭載した腕時計。
【請求項４】
前記中枠は非金属製とされる、請求項１乃至３のいずれかに記載の非接触ＩＣカードを搭載した腕時計。
【請求項５】
前記時計構成要素の１つである文字板は非金属製とされる、請求項１乃至４のいずれかに記載の非接触ＩＣカードを搭載した腕時計。
【請求項６】
前記ケースの内天面に、前記非接触ＩＣカードモジュールの縁部を収めるための凹部が形成されている、請求項１乃至５のいずれかに記載の非接触ＩＣカードを搭載した腕時計。
【発明の詳細な説明】
【技術分野】
【０００１】
本発明は、非接触ＩＣカードを搭載した腕時計に関するものであり、より詳細には、非接触ＩＣカードを搭載していて、腕時計としての機能の他に、非接触ＩＣカードによる電子マネー決済や社員証の認証等の機能をも併せ有する、非接触ＩＣカードを搭載した腕時計に関するものである。
【背景技術】
【０００２】
Ｆｅｌｉｃａ（登録商標）等の非接触ＩＣカードは、自動改札用カードや社員認証カードとして、あるいは、電子マネー決済用カード等として広く用いられている。非接触ＩＣカードは独立したカードとして用いられることが多いが、コイン型トークンやリング型モジュールの形態に構成されて、バンドに組み込まれたりして用いられることもある。
【先行技術文献】
【特許文献】
【０００３】
【特許文献１】特開２０１０−２７７２８５号公報
【特許文献２】特開２００７−３１６７０６号公報
【特許文献３】特開２００２−６０６１号公報
【発明の概要】
【発明が解決しようとする課題】
【０００４】
上述したように、従来非接触ＩＣカードは、独立したカードとして用いられる他、コイン型トークンやリング型モジュールの形態に構成されて、バンドに組み込まれたりして用いられているが、腕時計に組み込むことは考えられていなかった。
【０００５】
そこで本発明は、非接触ＩＣカードを腕時計に組み込むことにより、腕時計本来の機能の他に、当該非接触ＩＣカードの機能をも享受可能にし、利便性を大いに向上させ得る非接触ＩＣカードを搭載した腕時計を提供することを課題とする。
【課題を解決するための手段】
【０００６】
上記課題を解決するための請求項１に記載の発明は、ケース内に、時計構成要素と共に、非接触ＩＣカードモジュールを組み込むことにより、腕時計の機能と共に当該非接触ＩＣカードの機能を享受可能にした腕時計であり、前記非接触ＩＣカードモジュールは、中枠の中央部に形成される筒部に収装される前記時計構成要素のムーブメントの裏面側に、前記裏面との間に間隙を保持して配置されることを特徴とする非接触ＩＣカードを搭載した腕時計である。
【０００７】
一実施形態においては、前記ムーブメントと前記非接触ＩＣカードモジュールとの間の間隙保持は、前記ムーブメント収装用筒部の高さが前記ムーブメントの厚みよりも少し高くなるように設定することによって達成される。
【０００８】
また、他の実施形態においては、前記ムーブメントと前記非接触ＩＣカードモジュールとの間の間隙保持は、前記中枠の前記筒部の外側に配設される、前記筒部と同じかそれよりも少し高いスペーサーによって達成される。
【０００９】
一実施形態においては、前記中枠は非金属製とされ、また、前記時計構成要素の１つである文字板は非金属製とされる。また、一実施形態においては、前記ケースの内天面に、前記非接触ＩＣカードモジュールの縁部を収めるための凹部が形成される。
【発明の効果】
【００１０】
本発明は上述したとおりであって、腕時計内にモジュール化した非接触ＩＣカードが搭載されているため、腕時計本来の機能の他に、当該非接触ＩＣカードの機能をも併せ享受することが可能となり、以て、大いに利便性が向上する効果がある。
【図面の簡単な説明】
【００１１】
【図１】本発明に係る非接触ＩＣカードを搭載した腕時計の一実施形態の、裏蓋を除いた状態の裏面図である。
【図２】本発明に係る非接触ＩＣカードを搭載した腕時計の一実施形態の分解斜視図である。
【図３】本発明に係る非接触ＩＣカードを搭載した腕時計の一実施形態の縦断面図である。
【発明を実施するための形態】
【００１２】
以下に、本発明を実施するための形態について、図面に依拠して説明する。図１は、本発明に係る非接触ＩＣカードを搭載した腕時計の一実施形態の、裏蓋を除いた状態の裏面図、図２はその分解斜視図、そして図３はその縦断面図であり、それらに示されるように、本腕時計は、ケース１内に、腕時計本来の構成要素であるムーブメント２と文字板３と長短針（秒針を含む）４とが組み込まれると共に、電子マネー機能や人認証機能を有する非接触ＩＣカードモジュール２０が組み込まれて構成される。
【００１３】
非接触ＩＣカードモジュール２０は、Ｆｅｌｉｃａ（登録商標）カード等の非接触方式のＩＣカードを、樹脂被覆してモジュール化したものである。図示した非接触ＩＣカードモジュール２０の形状は正方形状であるが、これに限られる訳ではなく、他の多角形、円形、楕円形等に形成されることもある。
【００１４】
ケース１の形状は特に問わず、丸型、角型、その他任意の形状となし得る。ケース１の内天面には、非接触ＩＣカードモジュール２０の縁部を収めて安定的に保持する、一段窪んだ凹部５が形成される（図２参照）。凹部５の形態は非接触ＩＣカードモジュール２０の形状に依存することになり、図示した例では、非接触ＩＣカードモジュール２０はほぼ正方形に形成されているため、凹部５は、非接触ＩＣカードモジュール２０の四隅を収めるものとして、４個所に配設されている。ケース１の上面には、見返しリング６を介してガラス７が嵌め付けられる。
【００１５】
なお、非接触ＩＣカードモジュール２０の製造番号を外部から透視可能にしなければならないという要請があるため、ケース１の下面に嵌め付けられる裏蓋８は、その全体、あるいは、少なくとも、上記製造番号表示部に対応する部分がガラス又は透明プラスチック等の透視部材製とされる。図示された例では、裏蓋８に大きな四角形の透明板９が嵌め込まれた構成となっているが、裏蓋８の全体が透明という態様であってもよい。
【００１６】
ケース１の中程には中枠１０が配備され、中枠１０の上面に文字板３が定置される。文字板３と中枠１０は、非接触ＩＣカードモジュール２０の動作に影響を与えないように、共に非金属製（通例、樹脂製）とすることが好ましい。中枠１０の中央部は、ムーブメント２の形状に対応する輪郭に開口され、その開口の下縁が下方に延長されることにより、ムーブメント２を密に収装するための筒部１１が形成される。
【００１７】
本発明においては、ムーブメント２と非接触ＩＣカードモジュール２０の正常動作を確保するために、非接触ＩＣカードモジュール２０は、中枠１０の筒部１１に収装された状態のムーブメント２の裏面側に、その裏面との間に間隙を保持して配置されるが、その間隙保持は、筒部１１の高さをムーブメント２の厚みよりも少し高くなるようにし、筒部１１の下端部がムーブメント２の裏面より少し下方に延びた状態となるようにすることによって達成することができる。
【００１８】
また、上記間隙の保持は、中枠１０の裏面の筒部１１の外側に、筒部１１よりも少し高いスペーサー１２を配設することによって達成することもできる。なお、筒部１１の高さをムーブメント２の厚みよりも少し高くなるようにした場合は、スペーサー１２を筒部１１と同じ高さに形成し、スペーサー１２と筒部１１との協働により、上記間隙を保持させるようにすることもできる。
【００１９】
中枠１０には、ムーブメント２から延びるリューズ杆１４を水平方向に逃がすための切欠き１３が形成される。言うまでもなく、リューズ杆１４の先端は、ケース１を貫いて差し込まれるリューズ１５の軸に連結される。
【００２０】
非接触ＩＣカードモジュール２０はケース１の裏面側から装入され（実際には、図２に示されるように、ケース１を上下反転させて上方から装入する。）、その四隅（周縁部）を凹部５に収めるようにして装填される。その状態において裏蓋８がネジ止めされることにより、非接触ＩＣカードモジュール２０は、その上面が筒部１１及び／又はスペーサー１２の下端面に当接した状態において確固と押え止められる。そのため、非接触ＩＣカードモジュール２０は、裏蓋８と筒部１１及び／又はスペーサー１２に挟み込まれることによって確固と押え止められる。
【００２１】
本発明に係る非接触ＩＣカードを搭載した腕時計の組立て方法の一例を説明すると、先ず、ガラス７を取り付けたケース１を反転させ、見返しリング６を装入した後、予め文字板３と長短針４を取り付けたムーブメント２をケース１に装入する。そして、リューズ１５を取り付けたリューズ杆１４を、ケース１の側部に設けられる穴から差し込み、ムーブメント２に結合する。その後、ムーブメント２を筒部１１に収装するようにして、中枠１０をケース１に装入する。その際、中枠１０の周縁部を文字板３の下縁に当接させ、見返しリング６の裏面に突設される突子が、文字板３の周縁部に形成される嵌合孔内に嵌入されることにより、文字板３が押し止めされる。
【００２２】
次いで、その上に非接触ＩＣカードモジュール２０を、その四隅を凹部５内に収めるようにして装填し、最後に裏蓋８をネジ止めして組立て終了となる。その組立て状態において非接触ＩＣカードモジュール２０は、その下面が裏蓋８によって支持されると共に、その上面の周縁部が筒部１１及び／又はスペーサー１２の下端面に当たり、上述した筒部１１及び／又はスペーサー１２の作用により、非接触ＩＣカードモジュール２０の上面とムーブメント２の裏面との間に、必ずある程度の間隙が保持される。かくして、ムーブメント２及び非接触ＩＣカードモジュール２０の正常動作が確保される。
【００２３】
本発明に係る非接触ＩＣカードを搭載した腕時計は、一般の腕時計と同様の機能を果たす一方、当該非接触ＩＣカードの有する電子マネー等の機能を奏することが可能となるので、その用途での使用も可能となり、利便性が大いに向上する。
【符号の説明】
【００２４】
１      ケース
２      ムーブメント
３      文字板
４      長短針
５      凹部
６      見返しリング
７      ガラス
８      裏蓋
９      透明板
１０      中枠
１１      筒部
１２      スペーサー
１３      切欠き部
１４      リューズ杆
１５      リューズ
２０      非接触ＩＣカードモジュール
【図１】
2013057643.tif 000003
【図２】
2013057643.tif 000004
【図３】
2013057643.tif 000005